(57)【要約】【課題】第三者が音声メッセージを聴取することを防ぐことが出来る音声蓄積装置を提供する。【解決手段】音声蓄積装置は、電話端末から送信される音声信号を音声メッセージとして蓄積する音声蓄積手段と、音声蓄積手段に音声メッセージが蓄積された場合に音声メッセージが蓄積されたことを表す着信通知を予め指定された着信通知先に送信する着信通知手段と、電話端末からの再生要求に応じて音声蓄積手段に蓄積した音声メッセージを電話端末に送信する音声送信手段と、を有する。そして、電話端末から送信される音声信号を音声メッセージとして蓄積する毎に、蓄積した音声メッセージに対応する暗証番号を生成して、生成した暗証番号を表す暗証番号通知を予め指定された暗証番号通知先に送信する。【選択図】図２
2009130783.tif 000002
【特許請求の範囲】
【請求項１】
電話端末から送信される音声信号を音声メッセージとして蓄積する音声蓄積手段と、前記音声蓄積手段に音声メッセージが蓄積された場合に音声メッセージが蓄積されたことを表す着信通知を予め指定された着信通知先に送信する着信通知手段と、電話端末からの再生要求に応じて前記音声蓄積手段に蓄積した音声メッセージを前記電話端末に送信する音声送信手段と、を有する音声蓄積装置であって、
前記音声蓄積手段に音声メッセージが蓄積される毎に、前記音声メッセージに対応する暗証番号を生成する暗証番号生成手段と、
前記暗証番号生成手段が暗証番号を生成した後に、前記音声メッセージに対応する暗証番号を表す暗証番号通知を予め指定された暗証番号通知先に送信する暗証番号通知手段と、を有することを特徴とする音声蓄積装置。
【請求項２】
前記音声蓄積装置は、
電話端末から送信された再生要求を受信すると、暗証番号の入力を前記電話端末に要求する暗証番号入力要求手段と、
前記暗証番号入力要求手段が暗証番号の入力を要求した電話端末から送信された暗証番号が、前記音声メッセージに対応する暗証番号と一致するか否かを判断する暗証番号認証手段と、を有し、
前記音声送信手段は、前記暗証番号認証手段が前記音声メッセージに対応する暗証番号と一致すると判断した場合に、前記音声メッセージを前記電話端末に送信することを特徴とする請求項１記載の音声蓄積装置。
【請求項３】
前記着信通知先と前記暗証番号通知先とが同一であることを特徴とする請求項１記載の音声蓄積装置。
【発明の詳細な説明】
【技術分野】
【０００１】
本発明は、電話端末から送信される音声信号を音声メッセージとして蓄積すると共に、電話端末からの再生要求に応じて蓄積されている音声メッセージを電話端末に送信する音声蓄積装置に関する。
【背景技術】
【０００２】
従来、電話端末等から電話回線を介して送信される音声信号を音声メッセージとして蓄積して、蓄積した音声メッセージを電話端末等に送信する音声蓄積装置が知られている。このような音声蓄積装置は、電話端末から送信されるＰＢ（Ｐｕｓｈ  Ｂｕｔｔｏｎ）信号に応じて、音声メッセージの蓄積や再生を行っている。電話端末から音声メッセージの蓄積を要求するＰＢ信号が送信された場合は、音声メッセージの蓄積を開始する。電話端末から音声メッセージの再生を要求するＰＢ信号が送信された場合は、蓄積されている音声メッセージの再生を開始する。尚、音声蓄積装置は、音声メッセージを再生する際に、暗証番号の入力を電話端末に要求することがある。この場合、電話端末は、ＰＢ信号により暗証番号を音声蓄積装置に送信する。音声蓄積装置は、電話端末から送信された暗証番号が、予め登録されている暗証番号と一致するかどうかの認証を行う。そして、暗証番号が一致する場合に、音声メッセージの再生を行う。
【０００３】
また、音声蓄積装置には、音声メッセージが蓄積されたことを通知する機能を有しているものもある。このような音声蓄積装置では、音声メッセージが蓄積されると、音声メッセージが蓄積されたことを表す着信通知を、予め指定された通知先に送信している。着信通知の送信は、予め指定された電話端末に向けて発信する方法や、予め指定された通信端末に電子メールを送信する方法等により行われる（例えば、特許文献１参照）。
【特許文献１】特開２００１−２６８２４６号公報
【発明の開示】
【発明が解決しようとする課題】
【０００４】
上記した如き音声蓄積装置においては、音声メッセージを再生する際に、暗証番号の入力を電話端末に要求して、電話端末から送信された暗証番号が、予め登録されている暗証番号と一致するかどうかの認証を行っている。このような装置では、予め登録されている暗証番号の変更は、人手を介して行われている。それ故、暗証番号が第三者に漏洩した場合、漏洩した暗証番号の変更が行われるまで、暗証番号を取得した第三者が音声メッセージを聴取することが可能になってしまう。
【０００５】
本発明は上記した点に鑑みてなされたものであり、第三者が音声メッセージを聴取することを防ぐことが出来る音声蓄積装置を提供することを目的とする。
【課題を解決するための手段】
【０００６】
本発明の音声蓄積装置は、電話端末から送信される音声信号を音声メッセージとして蓄積する音声蓄積手段と、前記音声蓄積手段に音声メッセージが蓄積された場合に音声メッセージが蓄積されたことを表す着信通知を予め指定された着信通知先に送信する着信通知手段と、電話端末からの再生要求に応じて前記音声蓄積手段に蓄積した音声メッセージを前記電話端末に送信する音声送信手段と、を有する音声蓄積装置であって、前記音声蓄積手段に音声メッセージが蓄積される毎に、前記音声メッセージに対応する暗証番号を生成する暗証番号生成手段と、前記暗証番号生成手段が暗証番号を生成した後に、前記音声メッセージに対応する暗証番号を表す暗証番号通知を予め指定された暗証番号通知先に送信する暗証番号通知手段と、を有することを特徴とする。
【発明を実施するための最良の形態】
【０００７】
以下、本発明の実施例について図面を参照しつつ詳細に説明する。
【０００８】
図１は、本発明に係る音声蓄積装置の実施例を示している。音声蓄積装置１は、電話網４を介して、電話端末２１及び２２からの蓄積要求及び再生要求を受信して、受信した蓄積要求及び再生要求に応じて、音声メッセージの蓄積及び再生を行う。また、音声蓄積装置１は、音声メッセージが蓄積された場合に、音声メッセージが蓄積されたことを表す着信通知、及び、その音声メッセージに対応する暗証番号を表す暗証番号通知を、電子メールとして送信する。回線スイッチ１１は、電話網４を介して、電話端末２１及び２２との間で信号の送受信を行う。ＤＴＭＦ検出部１２は、回線スイッチ１１が受信した信号からＰＢ信号を検出して、検出したＰＢ信号を音声メッセージ管理部１４に送信する。音声蓄積部１３は、回線スイッチ１１が受信した音声信号を、音声メッセージとして蓄積する。また、音声蓄積部１３は、蓄積している音声メッセージの再生を行う。音声メッセージ管理部１４は、電話端末２１及び２２からＰＢ信号により送信される蓄積要求及び再生要求に応じて、音声蓄積部１３に対して音声メッセージの蓄積及び再生の指令を行う。また、音声メッセージ管理部１４は、暗証番号の生成の指令や暗証番号の認証を行う。更に、音声メッセージ管理部１４は、着信通知及び暗証番号通知の送信の指令を行う。暗証番号生成部１５は、音声蓄積部１３に蓄積された音声メッセージに対応する暗証番号を生成する。電子メール送信部１６は、音声蓄積部１３に音声メッセージが蓄積されたことを表す着信通知、及び、その音声メッセージに対応する暗証番号を表す暗証番号通知を、電子メールとして予め指定された通知先に送信する。
【０００９】
電話端末２１及び２２は、電話網４を介して音声蓄積装置１にアクセスして、音声信号の送受信を行う。また、電話端末２１及び２２は、ＰＢ信号により、蓄積要求、再生要求及び暗証番号を音声蓄積装置１に送信する。
【００１０】
通信端末３は、音声蓄積装置１から送信される電子メールを、ＩＰ（Ｉｎｔｅｒｎｅｔ  Ｐｒｏｔｏｃｏｌ）網や携帯電話網等の電子メール網５を介して受信して、受信した電子メールの内容を表す表示を行うものである。通信端末３としては、例えば、パーソナルコンピュータや電子メール受信が可能な携帯電話端末等が用いられる。
【００１１】
図２に、音声メッセージの蓄積及び再生を行う場合の音声蓄積装置１の動作を示す。尚、ここでは、電話端末２２の利用者と通信端末３の利用者は、同一の人物であるとする。また、着信通知の通知先である着信通知先、及び、暗証番号通知の通知先である暗証番号通知先としては、通信端末３が予め指定されているとする。
【００１２】
まず、電話端末２１から音声蓄積装置１に向けて発信が行われたとする（ステップＳ２０１）。音声蓄積装置１は、電話網４を介して、電話端末２１からの発信を受けると、電話端末２１に対して応答を行う（ステップＳ２０２）。このときの応答では、音声蓄積装置１は、「希望する操作を表す番号を入力してください」等のメッセージを電話端末２１に送信する。そして、音声蓄積装置１はＰＢ信号の受信待機状態になる。
【００１３】
ここで、電話端末２１から、音声メッセージの蓄積を要求する蓄積要求がＰＢ信号により送信されたとする（ステップＳ２０３）。音声蓄積装置１は、電話端末２１からの蓄積要求を受信すると、電話端末２１から送信される音声信号を音声メッセージとして蓄積する（ステップＳ２０４）。ここで、音声メッセージの蓄積が終了して、電話端末２１と音声蓄積装置１の間の回線が切断されたとする（ステップＳ２０５）。音声メッセージの蓄積が終了すると、音声蓄積装置１は、蓄積した音声メッセージに対応する暗証番号を生成して記憶する。このとき生成される暗証番号は、「０」〜「９」、「＊」及び「＃」、すなわち、ＤＴＭＦ（Ｄｕａｌ  Ｔｏｎｅ  Ｍｕｌｔｉ  Ｆｒｅｑｕｅｎｃｙ）信号で構成されている。暗証番号の生成及び記憶を行った後で、音声蓄積装置１は、着信通知及び暗証番号通知を、予め指定された通知先である通信端末３に電子メールとして送信する（ステップＳ２０６）。このとき送信される電子メールには、音声メッセージが蓄積されたことを表す文、及び、暗証番号が記述又は添付される。
【００１４】
ここで、電話端末２２から音声蓄積装置１に向けて発信が行われたとする（ステップＳ２０７）。音声蓄積装置１は、電話網４を介して電話端末２２からの発信を受けると、電話端末２２に対して応答を行う（ステップＳ２０８）。そして、音声蓄積装置１はＰＢ信号の受信待機状態になる。
【００１５】
ここで、電話端末２２から、蓄積されている音声メッセージの再生を要求する再生要求がＰＢ信号により送信されたとする（ステップＳ２０９）。音声蓄積装置１は、電話端末２２からの再生要求を受信すると、電話端末２２に対して暗証番号の入力を要求する（ステップＳ２１０）。暗証番号の入力の要求は、例えば、「暗証番号を入力してください」等のメッセージを電話端末２２に送信すること等により行う。ここで、電話端末２２の利用者が、Ｓ２０６で通信端末３が受信した暗証番号通知によって表される暗証番号を電話端末２２に入力して、入力された暗証番号が電話端末２２から音声蓄積装置１にＰＢ信号により送信されたとする（ステップＳ２１１）。
【００１６】
音声蓄積装置１は、電話端末２２からの暗証番号を受信すると、受信した暗証番号が、再生の要求のあった音声メッセージに対応する暗証番号と一致するか否かの認証を行う（ステップＳ２１２）。ここでは、受信した暗証番号と、再生の要求のあった音声メッセージに対応する暗証番号が一致したとする。この場合、音声蓄積装置１は、音声メッセージを再生して電話端末２２に送信する（ステップＳ２１３）。
【００１７】
このように電話端末２２及び通信端末３の利用者は、通信端末３が受信した電子メールにより、音声蓄積装置１に音声メッセージが蓄積されたこと及びその音声メッセージに対応する暗証番号を知ることが出来る。その暗証番号を電話端末２２から入力することにより、電話端末２２及び通信端末３の利用者は、音声蓄積装置１に蓄積された音声メッセージを聴取することが出来る。
【００１８】
図３に、音声メッセージの蓄積及び再生を行う場合の音声蓄積装置１の動作を示す。尚、ここでは、電話端末２２の利用者と通信端末３の利用者は、別の人物であるとする。また、着信通知の通知先である着信通知先、及び、暗証番号通知の通知先である暗証番号通知先としては、通信端末３が予め指定されているとする。
【００１９】
まず、電話端末２１から音声蓄積装置１に向けて発信が行われたとする（ステップＳ３０１）。音声蓄積装置１は、電話網４を介して電話端末２１からの発信を受けると、電話端末２１に対して応答を行う（ステップＳ３０２）。そして、音声蓄積装置１はＰＢ信号の受信待機状態になる。
【００２０】
ここで、電話端末２１から、音声メッセージの蓄積を要求する蓄積要求がＰＢ信号により送信されたとする（ステップＳ３０３）。音声蓄積装置１は、電話端末２１からの蓄積要求を受信すると、電話端末２１から送信される音声信号を音声メッセージとして蓄積する（ステップＳ３０４）。ここで、音声メッセージの蓄積が終了して、電話端末２１と音声蓄積装置１の間の回線が切断されたとする（ステップＳ３０５）。音声メッセージの蓄積が終了すると、音声蓄積装置１は、蓄積した音声メッセージに対応する暗証番号を生成して記憶する。暗証番号の生成及び記憶を行った後で、音声蓄積装置１は、着信通知及び暗証番号通知を予め指定された通知先である通信端末３に電子メールとして送信する（ステップＳ３０６）。
【００２１】
ここで、電話端末２２から音声蓄積装置１に向けて発信が行われたとする（ステップＳ３０７）。音声蓄積装置１は、電話網４を介して、電話端末２２からの発信を受けると、電話端末２２に対して応答を行う（ステップＳ３０８）。そして、音声蓄積装置１はＰＢ信号の受信待機状態になる。
【００２２】
ここで、電話端末２２から、蓄積されている音声メッセージの再生を要求する再生要求がＰＢ信号により送信されたとする（ステップＳ３０９）。音声蓄積装置１は、電話端末２２からの再生要求を受信すると、電話端末２２に対して暗証番号の入力を要求する（ステップＳ３１０）。ここで、電話端末２２の利用者が、Ｓ３０６で通信端末３が受信した暗証番号通知によって表される暗証番号とは異なる暗証番号を電話端末２２に入力して、入力された暗証番号が電話端末２２から音声蓄積装置１にＰＢ信号により送信されたとする（ステップＳ３１１）。
【００２３】
音声蓄積装置１は、電話端末２２からの暗証番号を受信すると、受信した暗証番号が、再生の要求のあった音声メッセージに対応する暗証番号と一致するか否かの認証を行う（ステップＳ３１２）。ここでは、受信した暗証番号と、再生の要求のあった音声メッセージに対応する暗証番号が不一致であったとする。この場合、音声蓄積装置１は、暗証番号が不一致であることを電話端末２２に通知する（ステップＳ３１３）。暗証番号が不一致であることの通知は、例えば、「暗証番号が間違っています」等のメッセージを電話端末２２に送信すること等により行う。
【００２４】
このように、蓄積された音声メッセージを再生する要求があった場合は、暗証番号の入力を要求して、入力された暗証番号が、再生の要求のあった音声メッセージに対応する暗証番号と不一致である場合は、音声メッセージの送信を行わない。それ故、第三者が音声メッセージを聴取することを防ぐことが出来る。
【００２５】
図４に、音声蓄積装置１の音声メッセージ管理部１４で実行される音声蓄積ルーチンの動作を示す。音声蓄積ルーチンは、電話端末からの蓄積要求を受信すると実行される。
【００２６】
蓄積要求を受信すると、音声メッセージ管理部１４は、蓄積要求を送信した電話端末から送信される音声信号を音声メッセージとして蓄積する動作を開始するように、音声蓄積部１３に指令を出す（ステップＳ４０１）。音声蓄積部１３は、音声メッセージ管理部１４からの指令を受けると、蓄積要求を送信した電話端末から送信される音声信号を音声メッセージとして蓄積する動作を開始する。
【００２７】
音声蓄積部１３に指令を出した後で、音声メッセージ管理部１４は、音声メッセージの蓄積を終了するか否かの判断を行う（ステップＳ４０２）。音声メッセージ管理部１４は、蓄積要求を送信した電話端末から音声メッセージの蓄積の終了を表すＰＢ信号が送信された場合、又は、蓄積要求を送信した電話端末との回線が切断された場合に、音声メッセージの蓄積を終了すると判断する。それ以外の場合は、音声メッセージの蓄積を終了しないと判断する。音声メッセージの蓄積を終了しないと判断した場合、音声メッセージ管理部１４は、音声メッセージの蓄積を終了すると判断するまで待機する。
【００２８】
音声メッセージの蓄積を終了すると判断した場合、音声メッセージ管理部１４は、音声メッセージを蓄積する動作を停止するように、音声蓄積部１３に指令を出す（ステップＳ４０３）。音声蓄積部１３は、音声メッセージ管理部１４からの指令を受けると、音声メッセージを蓄積する動作を停止する。音声メッセージを蓄積する動作が停止した後で、音声メッセージ管理部１４は、蓄積された音声メッセージに対応する暗証番号を生成するように、暗証番号生成部１５に指令を出す（ステップＳ４０４）。暗証番号生成部１５は、音声メッセージ管理部１４からの指令を受けると、蓄積された音声メッセージに対応する暗証番号を生成する。このとき生成される暗証番号は、「０」〜「９」、「＊」及び「＃」、すなわち、ＤＴＭＦ信号で構成される。
【００２９】
暗証番号が生成された後で、音声メッセージ管理部１４は、生成された暗証番号を取得して、蓄積された音声メッセージに対応する暗証番号として記憶する（ステップＳ４０５）。暗証番号を記憶した後で、音声メッセージ管理部１４は、音声メッセージが蓄積されたことを表す着信通知、及び、その音声メッセージに対応する暗証番号を表す暗証番号通知を、電子メールとして送信するように、電子メール送信部１６に指令を出す（ステップＳ４０６）。電子メール送信部１６は、音声メッセージ管理部１４からの指令を受けると、着信通知及び暗証番号通知を電子メールとして、予め指定された通知先に送信する。
【００３０】
図５に、音声蓄積装置１の音声メッセージ管理部１４で実行される音声再生ルーチンの動作を示す。音声再生ルーチンは、電話端末からの再生要求を受信すると実行される。
【００３１】
再生要求を受信すると、音声メッセージ管理部１４は、再生要求を送信した電話端末に対して暗証番号の入力を要求する（ステップＳ５０１）。暗証番号の入力を要求した後で、音声メッセージ管理部１４は、電話端末から入力された暗証番号を取得する（ステップＳ５０２）。電話端末から入力された暗証番号を取得すると、音声メッセージ管理部１４は、電話端末から入力された暗証番号と、再生の要求のあった音声メッセージに対応する暗証番号が一致するか否かの認証を行う（ステップＳ５０３）。
【００３２】
認証の結果、暗証番号が一致した場合、音声メッセージ管理部１４は、再生の要求のあった音声メッセージを再生して再生要求を送信した電話端末に送信するように、音声蓄積部１３に指令を出す（ステップＳ５０４）。音声蓄積部１３は、音声メッセージ管理部１４からの指令を受けると、再生の要求のあった音声メッセージを再生して再生要求を送信した電話端末に送信する。一方、認証の結果、暗証番号が不一致であった場合、音声メッセージ管理部１４は、再生要求を送信した電話端末に、暗証番号が不一致であることを表すメッセージを送信する（ステップＳ５０５）。
【００３３】
上記において説明したように、本発明の音声蓄積装置によれば、音声メッセージが蓄積されると、蓄積された音声メッセージに対応する暗証番号を生成して、その暗証番号を、予め指定された暗証番号通知先に送信している。また、蓄積されている音声メッセージに対して再生要求があった場合は、暗証番号の入力を要求して、入力された暗証番号が、音声メッセージに対応する暗証番号と一致する場合に、音声メッセージを電話端末に送信している。それ故、第三者が音声メッセージを聴取することを防ぐことが出来る。
【図面の簡単な説明】
【００３４】
【図１】本発明の実施例である音声蓄積装置を示すブロック図である。
【図２】図１の音声蓄積装置の動作を示すシーケンス図である。
【図３】図１の音声蓄積装置の動作を示すシーケンス図である。
【図４】図１の音声蓄積装置の音声蓄積ルーチンの動作を示すフローチャートである。
【図５】図１の音声蓄積装置の音声再生ルーチンの動作を示すフローチャートである。
【符号の説明】
【００３５】
１  音声蓄積装置
３  通信端末
１１  回線スイッチ
１２  ＤＴＭＦ検出部
１３  音声蓄積部
１４  音声メッセージ管理部
１５  暗証番号生成部
１６  電子メール送信部
２１及び２２  電話端末
【図１】
2009130783.tif 000003
【図２】
2009130783.tif 000004
【図３】
2009130783.tif 000005
【図４】
2009130783.tif 000006
【図５】
2009130783.tif 000007